(57)【要約】  この発明は、ケーシング（３０１）と、前記ケーシングに含まれる少なくとも二つの電極（３１、３３）及び電解液と、前記ケーシングに含まれる少なくともいくつかの強磁性材料であって、残留磁界を有する強磁性材料と、前記ケーシングの外側に配置され、前記強磁性材料の前記残留磁界を測定することが可能な磁気センサと、測定された前記残留磁界の関数として、前記ケーシングの内部の温度を決定するように構成された回路とを備える電気化学アキュムレータ（３）に関する。【選択図】図１
2015510657.tif 000002
【特許請求の範囲】
【請求項１】
ケーシング（３０１）と、
前記ケーシングに含まれる少なくとも二つの電極（３１、３３）及び電解液と、
前記ケーシングに含まれる少なくともいくつかの強磁性材料であって、残留磁界を有する強磁性材料と、
前記ケーシングの外側に配置され、前記強磁性材料の前記残留磁界を測定することが可能な磁気センサと、
測定された前記残留磁界の関数として、前記ケーシングの内部の温度を決定するように構成された回路と、
を備える電気化学アキュムレータ（３）。
【請求項２】
前記電極はそれぞれ電極膜を備え、
前記電極膜（３１、３３）は、交互に重畳され、
前記電極膜は、少なくとも一つの絶縁セパレータ膜（３２、３４）によって分離されている、
請求項１に記載の電気化学アキュムレータ（３）。
【請求項３】
前記電極膜（３１、３３）及び前記絶縁セパレータ膜（３２、３４）は、一つの同じ軸の周囲に巻回されている、
請求項１又は２に記載の電気化学アキュムレータ（３）。
【請求項４】
前記磁気センサは、前記軸に対して垂直な方向に沿った前記ケーシングの内部の磁界の成分を測定することが可能である、
請求項３に記載の電気化学アキュムレータ（３）。
【請求項５】
少なくとも一つの前記電極は、ＬｉＦｅＰＯ４を含む、
請求項１〜４のいずれか１項に記載の電気化学アキュムレータ（３）。
【請求項６】
少なくとも一つの前記電極はとストロンチウムフェライト、又は、バリウムフェライトを含む、
請求項１〜４のいずれか１項に記載の電気化学アキュムレータ（３）。
【請求項７】
少なくとも一つの前記電極は、０℃において０．４Ｔより大きい飽和分極を有している、
請求項１〜６のいずれか１項に記載の電気化学アキュムレータ（３）。
【請求項８】
前記強磁性材料は、６００℃より小さいキュリー温度を有している、
請求項１〜７のいずれか１項に記載の電気化学アキュムレータ（３）。
【請求項９】
前記磁気センサは、第１磁気センサ（１１）であり、
前記電気化学アキュムレータは、さらにケーシング（３０１）の外側に設けられ、前記ケーシングの内側の磁界に対して、この同じ磁界に対する前記第１磁気センサの感度よりも低い第２磁気センサ（１２）を備える、
請求項１〜８のいずれか１項に記載の電気化学アキュムレータ（３）。
【請求項１０】
前記回路（１３）は、前記第１磁気センサ（１１）によって測定された磁界と前記第２磁気センサ（１２）によって測定された磁界との間の差の関数として、前記ケーシング（３０１）の内側の温度を決定する、
請求項９に記載の電気化学アキュムレータ（３）。
【請求項１１】
前記ケーシングの内部を磁化する磁化装置（１４）をさらに備え、
前記磁化装置（１４）は、
巻線に電気的に電源が供給されているときに、前記ケーシング（３０１）の内部に磁界を印加するように構成された巻線を含み、
前記回路（１３）は、前記巻線の電気供給源を駆動するように構成されており、前記磁気センサの測定を回復するように構成され、
前記回路（１３）は、前記巻線の電気供給源と前記磁気センサの測定の回復を交互に行うように構成されている、
請求項１〜１０のいずれか１項に記載の電気化学アキュムレータ（３）。
【請求項１２】
前記磁気センサは、前記ケーシングの内部に印加される磁化磁界がないときに、前記ケーシングの内部の残留磁界の測定を行うように構成されている、
請求項１〜１１のいずれか１項に記載の電気化学アキュムレータ（３）。
【請求項１３】
電気供給システム（１）であって、
請求項１〜１２のいずれか１項に記載の電気化学アキュムレータ（３）と、
電気負荷（５）に接続する前記電気供給システムの端子から前記電気化学アキュムレータを選択的に接続／非接続するスイッチ（１５）と、
前記磁気センサによって測定された温度が閾値と交差した時に、前記電気化学アキュムレータと前記電気供給システムの前記端子との間の非接続を駆動する電気化学アキュムレータの動作を監視する回路（１３）を含む電気供給システム。
【発明の詳細な説明】
【技術分野】
【０００１】
本発明は、多数の電気化学アキュムレータを含むアキュムレータバッテリーに関する。
【背景技術】
【０００２】
特定のアキュムレータは、円筒形の螺旋発生器（spiral generator）の形をとる。このようなアキュムレータは、スパイラルロールに含まれる電気化学バンドルを含む。ロールは、セパレータを形成する第１及び第２層と交互になっている正電極及び負電極の巻線から形成される。セパレータは、正電極を負電極から電気的に絶縁する役割を果たす。セパレータは、また、それぞれ正、負の、アキュムレータの外側の部分を絶縁する役割を果たす。
【０００３】
ロールは、一般的に円筒形の密封された金属ケース内に収納されている。金属ケースの一側は、陰極を形成する。ロールは、イオン交換を可能にする電解液に浸されている。蓋は、接続によって、一般的には溶接により、正電極に接続され、陽極を形成している。蓋は、電気的にケースから絶縁されている。
【０００４】
このようなアキュムレータのますます広がった使用により、それらの製造プロセスはますます良好に制御されている。このようなアキュムレータは、高い信頼性を有している。このようなアキュムレータの使用は、高い安全性と多数のアキュムレータを必要とするバッテリーに好まれている。このようなバッテリーは、特に、ポータブルコンピュータに電力を供給するために大規模に生産される。
【発明の概要】
【発明が解決しようとする課題】
【０００５】
稀ではあるが、このようなアキュムレータの一つの起こりうる異常は、セパレータの貫通による短絡の存在である。さまざまな研究によれば、このような短絡はセパレータの局部的な貫通によって引き起こされる。このような貫通の発生の主な原因は、セパレータの摩耗、特定の動作条件における金属デンドライトの生成、又は、制御の行き届いてない製造プロセスの後のアキュムレータに望ましくないデブリの存在である。
【０００６】
バッテリー、特に、リチウムイオン技術を用いたものは、絶えず増大する特定のエネルギーを有する。技術的には、このようなアキュムレータは、ほとんどの場合２〜４Ｖの順に、それらの端子間に制限された電圧を有する。高電圧および高電力の用途では、バッテリーは、直列に接続された非常に多くのアキュムレータを含まなければならない。バッテリーの取り扱い及び寸法を容易にするために、バッテリーの容量は、適切な数のアキュムレータを並列に接続することによって構成される。このようなバッテリーは、特定のエネルギーが高く、異常が多数のアキュムレータに伝播しうるときに、いっそう重要な結果を伴う短絡の出現のはるかに高いリスクを有している。短絡したアキュムレータは、これらの様々な構成要素が溶解する熱暴走に直面しうる。この熱暴走は、隣接するアキュムレータ、及びそれに電力を供給するシステムに広がりうる。
【０００７】
このようなアキュムレータの技術開発では、貫通の可能性を制限する及び／又は起こりうる短絡の抵抗を増加させるために、セパレータの補強及び電極の組成を本質的に問題としている。提案された解決策は、大衆市場や輸送用途と両立しえない、アキュムレータの原価の実質的な上昇、その体積の実質的な増加及び／又はアキュムレータの安全性の限られた改善を誘発する。
【０００８】
これは、特定の種類の異常を識別し、防止するために、アキュムレータに温度プローブを固定する手段が知られている。偶発的な短絡の抵抗に応じて、アキュムレータの多かれ少なかれ急激な加熱が得られる。短絡によって生成された低速加熱の場合、このような加熱は、環境の温度変化又はアキュムレータを流れる動作電流に起因する温度変化から区別することは困難である。高速加熱の場合、高速かつ相当な加熱は、最初は局所的に発生する。アキュムレータの外壁では、加熱はかなり後に、最初は局所的に発生する。アキュムレータの全体的な加熱は後でのみ発生する。したがって、外部温度プローブが確実に短絡の発生を決定することができるとき、それはアキュムレータの破壊を回避するにはしばしば遅すぎる。特定のアキュムレータ材料の引火性のため、アキュムレータの破壊は火災を引き起こしうる。
【０００９】
アキュムレータ内部に温度プローブを含めることは、すぐにほとんどの異常に効果がないことが判明するであろう。また、それは、短絡リスクの付加的な原因を構造的に形成する逆のリスクとなるであろう。このため、時間内にアキュムレータ内の温度の上昇を検出することが不可能であることに直面し、設計者はより安全であるがパフォーマンスの面であまり最適ではないアキュムレータ化学物質を選択することを余儀なくされてきた。この選択は、電力アプリケーション及びユーザが存在するアプリケーションに関して、いっそう重要である。
【００１０】
本発明は、これらの欠点の一つ以上を解決することを目的とする。本発明は、添付の特許請求の範囲に定義された電気化学アキュムレータ及び電力供給システムに関する。
【課題を解決するための手段】
【００１１】
本発明の他の特徴および利点は、情報の提供を目的とし、限定するものではないが、添付図面を参照してそれらについての以下の説明からより明確に明らかになるであろう。
【図面の簡単な説明】
【００１２】
【図１】本発明が実施される、アキュムレータの一例を示す断面図である。
【図２】セパレータの局部短絡の拡大概略断面図である。
【図３】短絡の早期検出のための温度測定装置の第１の変形例を備えたアキュムレータの概略図である。
【図４】測定装置の検証テスト中に、それぞれアキュムレータの内側、外側のプローブによって測定された、短絡時のアキュムレータの温度を示す図である。
【図５】温度の関数としてのＬｉＦｅＰＯ４の磁化率の逆数を示す図である。
【図６】検証テスト中に測定装置によって測定された磁界の差を示す図である。
【図７】検証テスト中にアキュムレータの外側のプローブによって測定された温度を示す図である。
【図８】本発明にかかるアキュムレータを含むバッテリーの概略図である。
【図９】強磁性材料のヒステリシスループの一例を示す図である。
【図１０】温度の関数としての強磁性材料の一例の飽和磁界を示す図である。
【図１１】六方晶バリウムフェライトの飽和分極と異方性磁界を示す図である。
【図１２】短絡の早期検出のための温度測定装置の第２の変形例を備えたアキュムレータの概略図である。
【発明を実施するための形態】
【００１３】
本発明は、ケーシングの外側からこの強磁性材料の残留磁界の計測を行うことにより、強磁性材料を含む電気化学アキュムレータのケーシング内の温度を測定することを提案している。
【００１４】
発明によれば、ケーシングのシール性を損なうことなく、より急速に温度測定を行うことができ、アキュムレータ内で起こりうる短絡の影響を低減することが可能となる。
【００１５】
強磁性材料は、実質的に不変の磁化率と、磁界の印加に応じて一般に非直線の磁化を有している。強磁性材料の磁化特性は、通常、図９に示される図によって定義される。第１の磁化曲線は実線で示されており、このような材料のヒステリシスループは点線で示されている。
【００１６】
増大する磁界の影響下で、磁化は値Ｍｓの飽和状態まで増加する。磁界Ｈを抑制することによって、剰余又は残留磁化Ｍｒはその後保存される。増大する振幅の負の磁界を印加することにより、磁化は飽和値−Ｍｓに達する。磁界Ｈを抑制することにより、残留磁化−Ｍｒはその後保存される。
【００１７】
図１０は、Ｔ／Ｔｃ比の関数として、コバルトなどの強磁性材料の一例の値Ｍｓを示している。Ｔは、材料の温度に対応し、Ｔｃは、残留磁化が消失するキュリー温度に対応する。残留磁化Ｍｒは値Ｍｓに比例し、それはまた、材料の温度の関数である。本発明は、ケーシングの外側からの残留磁界の測定に基づいてアキュムレータケーシング内部の温度を決定するために、残留磁化に及ぼす温度の影響から利益を引き出すことを提案している。
【００１８】
通常、強磁性材料の磁化の測定に基づくシステムは、材料の磁化率の測定に基づいているため、できるだけ低い残留磁界を有している材料の選択を前提とする。一方、本発明は、残留磁界が可能な限り高い材料の使用を含む。
【００１９】
図１は、電気化学アキュムレータ３の断面図である。アキュムレータ３は、この場合、円筒形のスパイラルアキュムレータである。このようなアキュムレータ３は、スパイラルロールを含む。アキュムレータ３は、電極のスパイラルロールが収容される円筒形のケースまたはケーシング３０１を備える。円筒形のケース又はケーシング３０１は、一般的に導電性である。円筒形のケース３０１は、金属で作成することが可能であり、密封することができる。スパイラルロールは、フレキシブルな矩形板状の負電極３１、フレキシブルな矩形板状の正電極３３、及び、２枚のセパレータ３２、３４を含む。セパレータ３２、３４は、一端で折り曲げられた、同一層の１つのセパレータで形成することができる。電極３１、３３とセパレータ３２、３４は、円筒形のケース３０１の軸の周りに巻回されている。この場合、電極３１、３３とセパレータ３２、３４は、絶縁シャフト３５の周りに巻かれている。絶縁シャフト３５は、アキュムレータ３の中央部に固定されている。巻線は、正電極−セパレータ−負電極−セパレータ層を交互に生成するような方法で製造される。各セパレータ３２、３４は、負電極３１から正電極３３を電気的に絶縁する役割を果たす。セパレータ３２、３４は、また、それぞれ負、正の、アキュムレータ３の外側の部分を互いに絶縁する役割を果たしうる。ロールは、イオン交換を可能にする電解液に浸されている。
【００２０】
ケース３０１の内面は、陰極を形成する。陽極３０２は、一般的に溶接によって、接続３７及び蓋３８を介して正電極３３に接続されている。陽極３０２及び蓋３８は、ケース３０１から電気的に絶縁されている。
【００２１】
セパレータ３２、３４の一部３０３は、電極３１、３３の間の接触を回避するために、軸方向に突出している。アキュムレータ３の軸に近接して、スペーサ３６は、電極３１、３３とセパレータ３２、３４に対して軸方向に突出している。スペーサ３６は、接続３７の役割を担う。スペーサ３６は、セパレータ３２、３４の中央巻きの突起によって形成することができる。このように、スペーサ３６は、接続３７が誤って負電極３１に接触することを防ぐ。
【００２２】
図２は、局部短絡の例における、ロールの層の重畳部の拡大断面図である。この例では、負電極３１と正電極３３との間に設けられたセパレータ３２は、スルーホール３９を含む。矢印で示すように、電流は、ホール３９を通って、電極３３と電極３１との間に確立される。電極３１、３３に蓄えられうるエネルギー量が与えられると、ホール３９を流れる電流は非常に高い振幅を有し、電極３１、３３及び膜３２が加熱される。加熱は、アキュムレータ３内部のチェーン劣化（chain deterioration）を誘発しうる。アキュムレータ３の破壊は十分な加熱を誘導することができ、バッテリーの残りの他の隣接するアキュムレータ又は給電されるシステムに広がる。
【００２３】
図４は、アキュムレータ３の異常のシミュレーションを示す図である。この図では、点線の曲線は、短絡のレベルにおけるアキュムレータ３の内側の温度を示しており、実線の曲線は、ケーシング３０１の外側に従来の方法で配置された熱電対タイプのセンサーにより測定された温度を示している。シミュレートされたループは、加熱の第一段階と続く冷却の第二段階を備える。測定は、ケーシング３０１の内側の制御された発熱抵抗を含むことによって行われた。
【００２４】
熱電対によって外側で測定された温度は、一定の遅れでゆっくり上昇することが観察される。また、ケーシング３０１の外側で測定されたこの温度は、比較的限られた振幅を保つため、アキュムレータ３の放電の過程における通常の加熱と見分けることが困難である。このため、外側の温度が短絡に関連する異常な振幅に達したことを決定することができるように、長い時間待つ必要がある。
【００２５】
図３は、本発明の一実施形態に係るアキュムレータ３の概略図である。アキュムレータ３は、図１に示す構造を有し、電解質中に浸漬された逆の極性の二つの電極を含むケーシングを備える。正電極、負電極は、それぞれ導電性フィルムを含みうる。これらの電極の導電性フィルムは、交互に重ね合わされ、少なくとも一つの絶縁セパレータ膜により分離されうる。図１の例のように、ロール状のアキュムレータ３を形成するように、電極膜とセパレータ膜は軸の周りに巻回されるように交互に重ね合わせることができる。
【００２６】
いくつかの強磁性材料は、ケーシングに含まれている。強磁性材料は、例えば、生成された残留磁界の振幅を増大させるために、一方又は両方の電極に含まれている。リチウムイオンタイプのアキュムレータ３自体、特定の強磁性材料の磁化率に対して低い磁化率の反強磁性材料であるいくつかのＬｉＦｅＰＯ４を含む。図５は、横軸の温度の関数として、縦軸にＬｉＦｅＰＯ４の磁化率の逆数を示している。一般に、リチウムイオンバッテリー内に既に存在する強磁性材料は、キュリー温度に近づくにつれてそれが非常に弱くなるまで、その磁化を変更する温度に敏感である。
【００２７】
電気化学反応の根底にある電極の材料が非常に弱い強磁性体である場合、追加の強磁性材料をアキュムレータに含めることができる。このような追加の材料は、６００℃以下、好ましくは４００℃以下のキュリー温度を有する。このようなキュリー温度を有するものは、温度の上昇の測定の良好な感度を有する。例えば、２つの電極の少なくとも一方は、追加の強磁性材料を含みうる。この材料は、その残留磁界又はその保磁力場（coercive field）Ｈｃの高い振幅のために、有利に選択される。２つの電極の一つは、バリウムフェライト又はストロンチウムフェライトを含むことができる。
【００２８】
アキュムレータ３は、アキュムレータ３のケーシングの外側に配置された磁気センサ１１を備える。これにより、アキュムレータ３のシールを損傷する磁気センサ１１の設置を回避し、ケーシング内の短絡の出現のリスクを増加させない。磁気センサ１１は、アキュムレータ３のケーシング内の磁界の変化を測定することが可能である。センサ１１は、有利には、アキュムレータ３のケーシング内部の磁界の変化に最大の感度を示すように、アキュムレータ３のケーシングに固定される。外部から印加される磁化磁界（magnetizing magnetic field）がない場合、センサ１１は、周囲の磁界とケーシング内部の残留磁界の和を測定する。
【００２９】
円筒状のアキュムレータ３では、センサ１１は、有利には、本質的にアキュムレータの軸に垂直な磁界を測定し、このアキュムレータ３の軸に沿った磁界を拒否するように構成されている。したがって、センサ１１は、アキュムレータ３の軸に沿った磁界の発生源において、通常動作時のアキュムレータ３の充放電からの電流の影響を受けにくい。強磁性材料の加熱により生成された残留磁界の変化は、一般的に、一方向に沿って観測可能である。磁界のこのような変化は、磁界の方向に整列させることができる瞬間から、確かにケーシング内部の磁界の半径方向成分を測定可能なセンサ１１により測定される。この例では、強磁性材料の残留磁界の意味のあるレベルを得るために、使用される前に、アキュムレータ３のかなりの磁化が生成される。この先行磁化が、支配的な方向で、強磁性材料の非等方性の残留磁界を定義しうる。センサ１１は、有利には、この支配的な方向での残留磁界を測定するように配置されている。
【００３０】
アキュムレータ３は、測定された残留磁界の関数として、ケーシング内の温度を決定するように構成された回路１３を含む。この温度は、測定された残留磁界の関数としての温度の法則に基づいて決定することができ、回路１３のメモリに記憶することができる。この法則は、図１０に示すような曲線から外挿することができる。図１１は、六方晶バリウムフェライトの温度の関数として飽和分極と異方性磁界を示している。このような図は,
また、測定された残留磁界の関数として、ケーシング内部の温度を決定するために用いることができる。
【００３１】
有利にはアキュムレータ３には、ケーシングの外側に配置された第２の磁気センサ１２を含む。この磁気センサ１２は、センサ１１の感度よりも低い、ケーシング内部の磁界に対する感度を有する。センサ１２のケーシング内部の磁界に対するこの感度は、有利には実質的にゼロである。センサ１２は、例えば地球の磁界を考慮するために、周囲の磁界を測定する。このような低い感度は、アキュムレータ３からセンサ１２離すように移動させることによって、又は、シールドによりアキュムレータ３からそれを分離することによって得ることができる。回路１３は、有利には、センサ１１によって測定された磁界とセンサ１２によって測定された磁界との差を測定する。所定の周波数の輻輳を有する特定の近い不要な供給源の存在下では、回路１３は、例えば、参考としてウィナーフィルタリングのようなノイズリダクション技術を用いて、センサ１１、１２間の伝達関数を適用することができる。したがって、ケーシング内の比較的低い磁界のため、アキュムレータ３の周囲の磁界の影響を排除することによって、比較的正確な方法で、起こりうる加熱によって生成された残留磁界の変化の測定を得ることが可能である。この例では、アキュムレータ３は、そのケーシングに固定された単一のセンサ１１を備える。このセンサ１１は、有利には、アキュムレータ３の長さにわたってケーシングの温度上昇を最適に検出することを可能にするために、アキュムレータ３の軸に沿って半分の長さに配置されている。もちろん、いくつかの磁気センサ１１をアキュムレータ３の周囲に半径方向に、又は、アキュムレータ３の長さ方向に分布してもよい。
【００３２】
起こりうる短絡に起因するケーシングの強磁性材料の加熱によって生成される残留磁界の振幅の変化を強化するために、センサ１１の方向に関して磁界の向きを制御するために、又は、図１２に示す第２変形例において残留磁界の再校正を可能とするために、アキュムレータ３は、有利にはケーシング内部を磁化する装置１４を備える。磁化装置１４は、センサ１１による測定に先立ち、アキュムレータ３の軸に対して垂直に配向された磁界を生成するように構成されている。有利には、磁化装置１４は、コマンドに応じて動的に、アキュムレータ３のケーシング内部に磁界を生成するように構成される。このように、磁化装置１４は、巻線に電気的に電源が供給されている場合にのみ、ケーシングの内側で磁界に印加するように構成された巻線を含むことができる。
【００３３】
有利には、回路１３は、このような巻線への電源の供給（強磁性材料の磁化による磁界の発生）と、センサ１１（該当する場合はセンサ１２）によって実行される磁界測定の回復とを交互に行うように構成されている。したがって、センサ１１（該当する場合はセンサ１２）によって考慮された磁界測定は、アキュムレータ３の内側の温度を決定するために用いられる、ケーシング内の強磁性材料の残留磁界に対応する。
【００３４】
図６は、磁気センサ１１、１２によって測定された磁界の間の差を示している。図７は、ケーシングの外側の熱電対により、図４に示したループ中に同時に測定された温度を示している。使用されたセンサ１１、１２は、ステファンメイヤーインスツルメンツ（Stefan Mayer Instruments）によって、参照番号ＦＬＣ１００で販売されているフラックスゲートである。
【００３５】
加熱中、アキュムレータ３のケーシング内部の加熱で、（残留磁界に対応する）測定された磁界の間の差は急激に増加し、その後次第に減少する。冷却段階が開始されると、測定された磁界間の差は急激に低下し、アキュムレータ３のケーシング内の冷却で次第に増加する。冷却の終わりに、アキュムレータ３のケーシングの内部が初期温度に戻ったとき、磁界間の差は多かれ少なかれ、元の値から２５ｎＴのみ分離した値に戻る。従って、磁界の測定は、信頼性の高い方法で温度の繰り返し測定を行うことが可能であると考えられる。
【００３６】
意味のある温度測定を実施し、起こりうる異常の識別を可能にするために、アキュムレータ３に熱電対を浸漬する必要があるが、本発明にかかる温度測定は、アキュムレータ３の完全性を変化させることなく、短時間で、異常を識別することが可能である。
【００３７】
図８は、電力供給システム１を示す。この電源供給システムにおいて、バッテリー２は、本発明にかかるいくつかの電気化学アキュムレータ３を備える。電気負荷５は、駆動スイッチ１５を介してバッテリー２の端子間に接続されている。
【００３８】
各アキュムレータ３は、ケーシング内部の残留磁界を測定する磁気センサ１１を備える。センサ１１は、共通の駆動回路１３に接続されている。共通の駆動回路１３は、有利には、アキュムレータ３のそれぞれの磁化装置を駆動する。共通の磁気センサ１２は、バッテリー２の周囲の磁界を測定する。センサ１１、１２によって測定されたそれぞれの残留磁界間の差を測定することによって、駆動回路１３は、アキュムレータ３のそれぞれのケーシング内部の温度を推定する。
【００３９】
第２の変形例では、共通の駆動回路１３は、有利には、磁化装置１４による磁化磁界（magnetizing magnetic field）の前のアプリケーションを駆動する。そして、駆動回路１３は、後者によって適用された磁界を抑制するために磁化装置１４を駆動する。その後、磁化磁界が存在しない場合に、残留磁界は、センサ１１、１２の間の差を測定することによって測定される。
【００４０】
アキュムレータ３のいずれかに決定された温度が閾値を超えたときに、駆動回路１３は、電気負荷５へのバッテリー２の放電を遮断するために、スイッチ１５の開放を駆動することができる。駆動回路１３は、アキュムレータ３のうちの１つの内部の短絡の影響を制限することができる。回路１３は、このようにアキュムレータ３の動作の監視を請け負う。
【００４１】
この例では、電気負荷５は、スイッチ１５によりバッテリーアセンブリ２から切り離される。後者への他のアキュムレータの放電を避けるために、バッテリー２の他のアキュムレータからそれを切り離すことにより、異常が特定されたアキュムレータ３のみ絶縁し、バッテリー２のサービスの連続性を保証することを想定することができる。スイッチは、回路１３からのコマンドによりアキュムレータ３のそれぞれを絶縁することができるようにするために、バッテリー２に含まれうる。
【００４２】
リチウムバッテリーの場合は、通常の動作温度は６０℃、さらには８０℃に達することができる。通常の動作温度を超えると、バッテリーの性能が大きく低下し、後者は危険になりうる。１１０℃、さらには１３０℃の安全温度まで、現象は可逆的である。この安全温度を超えると、熱暴走現象に直面する。回路１３は、その温度が通常の動作温度を超えた場合に第１のアラーム信号を生成し、バッテリー２を絶縁するように、バッテリー２の温度が安全温度を超えた場合に第２のアラーム信号を生成し、例えば、消火器を駆動させたり、不活性ガス中で急冷するように、プログラムすることができる。
【００４３】
説明した例では、アキュムレータ３はロールアキュムレータであるが、本発明はまた、もちろん例えば、電極とセパレータ膜の積層を含むアキュムレータのような、他のアキュムレータ構造に適用される。このようなアキュムレータは、特に、非円筒形状を有することができる。アキュムレータは、例えば、角柱型のものであって、電極とセパレータの平坦な層の積み重ねを含むことができる。
【００４４】
アキュムレータ３の固定は、電気負荷への後者の放電の文脈で説明されている。もちろん、アキュムレータ３の固定は、後者が再充電システムに接続されている場合に行うことができる。
【図１】
2015510657.tif 000003
【図２】
2015510657.tif 000004
【図３】
2015510657.tif 000005
【図４】
2015510657.tif 000006
【図５】
2015510657.tif 000007
【図６】
2015510657.tif 000008
【図７】
2015510657.tif 000009
【図８】
2015510657.tif 000010
【図９】
2015510657.tif 000011
【図１０】
2015510657.tif 000012
【図１１】
2015510657.tif 000013
【図１２】
2015510657.tif 000014
【国際調査報告】
2015510657.tif 000015
2015510657.tif 000016
2015510657.tif 000017
2015510657.tif 000018
2015510657.tif 000019
2015510657.tif 000020